(57)【特許請求の範囲】
【請求項１】
空気調和機の室外機に設けられた内外接続用端子台において、前記内外接続用端子台は樹脂でモールドされ、その内部には前記空気調和機の室内機と室外機を接続する内外接続線を挿入する導体接点板を有し、且つ前記導体接点板の一部を突出させた突出部には、ノイズを除く機能のある電子制御装置のノイズ除去部品の一部または全部を前記電子制御装置と別個独立して実装したプリント基板を電気的且つ機械的に接続したことを特徴とする空気調和機の内外接続用端子台。
【請求項２】
空気調和機の室外機に設けられた内外接続用端子台において、前記内外接続用端子台は樹脂でモールドされ、その内部には前記空気調和機の室内機と室外機を接続する内外接続線を挿入する導体接点板を有し、かつ前記導体接点板を上方に延長することにより形成したパターン配線部に、基体に実装したノイズ除去部品のリードを挿入することができる複数の部品接続穴を設けたことを特徴とする空気調和機の内外接続用端子台。
【請求項３】
空気調和機の室内機と室外機を接続する内外接続線を挿入する導体接点板に、平面状の導体パターンを樹脂でモールドしたモールド配線板を電気的に接続し、かつ前記モールド配線板のパターンに形成したターミナル部により、端子台と空気調和機の電子制御装置の基板を接続したことを特徴とする請求項２記載の空気調和機の内外接続用端子台。
【請求項４】
空気調和機の室内機と室外機を接続する内外接続線を挿入する導体接点板に接続された２板の金属板を、基体に実装した電子部品のリードが挿入できるように対向して接触金具としたことを特徴とする、請求項１〜２のいずれかに記載の空気調和機の内外接続用端子台。
【請求項５】
基体に実装したノイズ除去部品のリードに接点金属板を形成し、前記ノイズ除去部品を接点金属板を通じて導体接点板に接続し、樹脂カバーによって空気調和機の室内機と室外機を接続する前記接点金属板と導体接点板との接続部を覆ったことを特徴とする請求項１ないし３のいずれか１項に記載した空気調和機の内外接続用端子台。
【発明の詳細な説明】
【０００１】
【発明の属する技術分野】
本発明は、空気調和機に用いられる内外接続用端子台に関するものである。
【０００２】
【従来の技術】
従来の空気調和機の内外接続用端子台は、図５に示すように、樹脂ケースＡ内に収納されていて、電源供給および通信を目的とする室内機と室外機を接続する電線Ｂを固定する導体接点板Ｃおよび板バネＤから構成される接続部と、室外機の電子制御装置との接続線を接続する複数の導体板ＥおよびストッパーＦから構成されている。
【０００３】
一方、電子制御装置内においては、ノイズ除去部品であるコンデンサやラインフィルタが基板上に実装されていて、電源供給線の他、基板上に設けられた端子間ならびに基板外部のコンデンサ，リアクタ等の部品と接続するため、多数のハーネスが使用されている。
【０００４】
【発明が解決しようとする課題】
上記従来の構成では、電子制御装置に使用されるノイズ除去部品であるコンデンサやラインフィルタ自体の寸法と、ノイズ除去部品が１００Ｖから２００Ｖ以上の電源電圧がかかることから要求される絶縁距離とにより、電子制御装置の基板上に占めるノイズ除去部品と、その周辺パターンの面積は大きくなるものである。
【０００５】
また、多数のＡＣラインのパターンが電子制御装置の基板上に存在するために、その基板上の他の制御信号用パターンと相互干渉を起こす。従って、そのノイズの影響を考慮するためにパターン設計における自由度が小さい。
【０００６】
本発明は、このような従来の課題を解決するものであり、空気調和機の電子制御装置の小型化と耐ノイズ性能を向上させることを目的とする。
【０００７】
【課題を解決するための手段】
上記課題を解決するために本発明は、空気調和機と電子制御装置との間のスペースを有効に活用しながら、空気調和機の室内機と室外機を接続する端子台に、従来電子制御装置の基板上に搭載されていたノイズ除去部品を搭載するものである。そして、上記の端子台を用いることにより、電子制御装置の基板上におけるノイズ除去部品が削減され、電子制御装置の基板の小型化を実現するとともに、ノイズの影響を小さくすることが可能となる。
【０００８】
【発明の実施の形態】
本発明は、空気調和機の内外接続用端子台に、導体で構成されたパターンをその内部または表面に有するプリント基板を接続し、このプリント基板にコンデンサ等のノイズ除去部品を接続するもので、上記プリント基板を有する端子台を用いることによって電子制御装置の基板上のノイズ除去部品を削減し、基板の小型化と、ノイズの影響の低減を実現するものである。
【０００９】
なお、上記のノイズ除去部品とは、ＡＣラインに挿入されるラインフィルタ，ＡＣ異極間のコンデンサ，ＡＣラインとアースライン間のコンデンサ，ＡＣラインと通信線間のコンデンサおよびサージ吸収部品の他、ＡＣラインに挿入される抵抗器，ビーズインダクタ等のことをいう。
【００１０】
また、プリント基板は、導体でできた板状パターンと、絶縁物で形成された基板にて構成され、ノイズ除去部品である電子部品を実装するための穴、もしくは直接はんだ付けや圧入が可能な導体部を有するものである。
【００１１】
さらに、使用者がこれらのノイズ除去部品に誤って触れないように、絶縁物でできたカバーで覆うとよい。
【００１２】
【実施例】
（実施例１）
図１に、実施例１における空気調和機の内外接続用端子台の分解斜視図を示す。
【００１３】
端子台は、樹脂ケース１内に収納されていて内外接続線２を接続固定するための導体接点板３を有し、その導体接点板３の先を樹脂ケース１外に突出して突出部３ａを形成し、前記突出部３ａを端子台接続部４にはんだ付けすることによりプリント基板５と電気的に接続する。プリント基板５には、コンデンサ６およびラインフィルタ７がはんだ付けされており、端子台は上記の他、プリント基板５を覆う樹脂カバー８、さらに端子台を空気調和機の室外機の側面に取り付けるための取付板９が取り付けられている。
【００１４】
また、端子台の上部には電子制御装置（図示せず）をハーネスで接続するため、複数のタブ状の導体板１０を有している。なお、１１は導体接点板３に組み合わせた板バネ、１２はストッパーを示す。
【００１５】
上記の構成とすることにより、電子制御装置の基板上にはノイズを除去する機能のあるコンデンサおよびラインフィルタを配置する必要がなくなるとともに、電子制御装置の基板上のＡＣ部の配線が削減されるため、基板サイズの小型化とともに、ＡＣ−ＤＣ間のノイズの相互干渉による影響を低減することが可能となる。
【００１６】
（実施例２）
図２に、実施例２における空気調和機の内外接続用端子台の分解斜視図を示す。なお、実施例１と同じ構成部分については同一符号を付与し、詳細な説明は省略する。
【００１７】
端子台は、内外接続線を接続固定するための導体接点板３を有し、その導体接点板３を延長することによりパターン配線部１３を形成している。パターン配線部１３には、複数の部品接続穴１４が設けられており、ラインフィルタ７およびコンデンサ（図示せず）がはんだ付けされた基体１５の接続片１６が前記部品接続穴１４に挿入される。従って、電子制御装置に導体板１０を経由してラインフィルタ７およびコンデンサ等のノイズ除去部品を挿入することができるので、電子制御装置（図示せず）の基板にはコンデンサやラインフィルタ等のノイズ除去部品を装着する必要がない。
【００１８】
図２（ｂ）は、図２（ａ）に示した端子台と電子制御装置の基板１７がモールド配線板１８にて接続された構成を示す。
【００１９】
モールド配線板１８は樹脂にて一体成形されており、端子台の導体とモールド配線板１８のターミナル部１９は樹脂中の配線パターンによって電気的に接続されている。また、モールド配線板１８のターミナル部１９は、はんだ付けによって電子制御装置の基板１７の接続部２０に接続される。
【００２０】
上記の構成とすることにより、電子制御装置の基板１７の配線の一部が端子台に設けられていることにより不要になり、接続距離も短くすることが可能となる。そのため、電子制御装置の基板の小型化に加えて、ノイズ性能が向上する。
【００２１】
（実施例３）
図３に、実施例３における空気調和機の内外接続用端子台の分解斜視図を示す。なお、実施例１，２と同じ構成部分については同一符号を付与し、詳細な説明は省略する。
【００２２】
端子台の樹脂ケース１は、内外接続線を接続固定するための導体接点板３を有し、その導体接点板３の一部を延長して形成されたパターン配線部１３を備えている。パターン配線部１３には、ノイズ除去部品を挿入するために、対向させた２枚の金属板２１がビス２２にて接続される。
【００２３】
また、端子台と電子制御装置の基板とをハーネスにて接続するために、複数のタブ状の導体板１０を有している。
【００２４】
上記の構成とすることにより、ラインフィルタを備えた基体１５が溝２３ａに配設された接点金属板２３を通じて導体接点板３を介して電子制御装置の基板上に接続される。従って、電子制御装置の基板にはラインフィルタやコンデンサ等のノイズを除去する機能のある電子部品を配置する必要がなくなるとともに、ＡＣ部の配線が削減されるため、基板の小型化とともに、ＡＣ−ＤＣパターン間のノイズの相互干渉等の影響を低減することが可能となる。
【００２５】
なお、上記構成については、使用者が誤って触れたり、部品が脱落するのを防止するため、樹脂カバー等を設けてもよい。
【００２６】
（実施例４）
図４に、実施例４における空気調和機の内外接続用端子台の分解斜視図を示す。なお、実施例１，２，３と同じ構成部分については同一符号を付与し、詳細な説明は省略する。
【００２７】
端子台は、板バネ１１と導体接点板３および基体１５に装着したラインフィルタ７のリードをＳ字状に加工した接点金属板２３を備えており、内外接続線を固定接続する接点を有している。
【００２８】
また、上記接点構造を保持するため、接点金属板２３の形状に合わせて溝２３ａを加工した樹脂カバー８にて端子台を覆うものである。
【００２９】
上記の構成とすることにより、内外接続線を直接ラインフィルタに接続することが可能となり、部品点数の削減ならびに構造の簡略化が実現できる。
【００３０】
また、この接点形状を実施例１における端子台の配線板と端子台との接続に使用することもできる。
【００３１】
【発明の効果】
上記説明から明らかなように、請求項１記載の発明によれば、ノイズ除去部品を内外接続用端子台に内蔵させたので、電子制御装置の基板が小型化できる。
【００３２】
また、請求項２記載の発明によれば、導体接点板にてパターン配線を構成したため、プリント基板を使用しない簡単な構成にて上記の効果を実現することができる。
【００３３】
さらに、請求項３記載の発明によれば、電子制御装置のハーネスを端子台内のモールド配線板パターンにて代用したので、組立性やサービス性の作業性が向上するとともに、結線距離を短くすることによりノイズ低減が可能になる。
【００３４】
また、請求項４記載の発明によれば、対向した金属板によって電子部品を端子台に接続したため、組立時ならびにサービス時において着脱を簡単にすることができる。
【００３５】
また、請求項５記載の発明によれば、電子部品のリードを内外接続線の接点の一部としたため、さらに構成を簡略化することができる。
【図面の簡単な説明】
【図１】本発明の実施例１における空気調和機の内外接続用端子台の分解斜視図
【図２】（ａ）本発明の実施例２における空気調和機の内外接続用端子台の分解斜視図
（ｂ）同実施例２における空気制御装置と空気調和機の内外接続用端子台との分解斜視図
【図３】本発明の実施例３における空気調和機の内外接続用端子台の分解斜視図
【図４】本発明の実施例４における空気調和機の内外接続用端子台の分解斜視図
【図５】従来における空気調和機の内外接続用端子台の斜視図
【符号の説明】
２  内外接続線
３  導体接点板
５  プリント基板
６  コンデンサ（ノイズ除去部品）
７  ラインフィルタ（ノイズ除去部品）
８  樹脂カバー
１３  パターン配線部
１４  部品接続穴
１５  基体
１６  接続片
１７  基板
１８  モールド配線板
２１  金属板
２３  接点金属板
【図１】
0003587041.tif 000002
【図２】
0003587041.tif 000003
【図３】
0003587041.tif 000004
【図４】
0003587041.tif 000005
【図５】
0003587041.tif 000006